(57)【要約】  【課題】電源トランスの二次側から取り出される高電圧の電源ラインの負荷が変動しても低電圧の電源ラインの電圧が落ち込まないようにする。  【解決手段】トランジスタＱ１がオフで電源ラインＬ１に＋４０Ｖが出力されているスタンバイ状態でのタイマ録画時には、「Ｌ」レベルのタイマ録画信号によりトランジスタＱ３をオンさせて、電源ラインＬ２をトランジスタＱ３および分圧回路５の抵抗Ｒ１，Ｒ２を介して電源ラインＬ１に接続する。トランジスタＱ１がオンで電源ラインＬ１に＋１１２Ｖが出力されている通常状態でのタイマ録画時には、「Ｈ」レベルのタイマ録画信号によりトランジスタＱ３をオフさせて、電源ラインＬ２を電源ラインＬ１から切り離す。【選択図】  図１
0003101738.tif 000002
【実用新案登録請求の範囲】
【請求項１】
記録媒体へのタイマ録画機能を備えたテレビジョン受像機に内蔵される電源回路であって、電源トランスと、この電源トランスの二次側から取り出された高電圧を供給する第１の電源ラインと、前記電源トランスの二次側から取り出された低電圧を供給する第２の電源ラインと、前記第１の電源ラインの電圧を分圧する分圧回路と、テレビジョン受像機の動作状態に応じてオン・オフ動作を行い、前記第１の電源ラインの電圧をスタンバイ時の第１の電圧と通常時の第２の電圧とに切り替えるための第１のトランジスタと、前記分圧回路の分圧出力に応じて動作する第２のトランジスタと、この第２のトランジスタと直列に接続された発光素子と、この発光素子からの光を受光する受光素子と、この受光素子の受光出力に基づいて前記電源トランスの一次側の電圧をスイッチングするスイッチング回路とを備え、前記第１の電源ラインの電圧を前記分圧回路、第２のトランジスタ、発光素子および受光素子を介して電源トランスの一次側へ帰還し、前記スイッチング回路により電源トランスの二次側の電圧を制御するようにしたテレビジョン受像機の電源回路において、
前記第２の電源ラインと分圧回路との間に接続された第３のトランジスタと、タイマ録画信号に基づいて第３のトランジスタのオン・オフ動作を制御する第４のトランジスタとを設け、
前記第１のトランジスタの動作に基づき第１の電源ラインに第１の電圧が出力されているスタンバイ状態でのタイマ録画時には、前記タイマ録画信号により第３のトランジスタをオンさせることにより、第２の電源ラインを第３のトランジスタおよび分圧回路を介して第１の電源ラインに接続し、
前記第１のトランジスタの動作に基づき第１の電源ラインに第２の電圧が出力されている通常状態でのタイマ録画時には、前記タイマ録画信号による第３のトランジスタのオン動作を禁止して、第２の電源ラインを第１の電源ラインから切り離すようにしたことを特徴とするテレビジョン受像機の電源回路。
【請求項２】
電源トランスと、この電源トランスの二次側から取り出された高電圧を供給する第１の電源ラインと、前記電源トランスの二次側から取り出された低電圧を供給する第２の電源ラインと、前記第１の電源ラインの電圧を分圧する分圧回路と、この分圧回路の分圧出力を電源トランスの一次側へ帰還する帰還回路と、この帰還回路からの信号に基づいて電源トランスの二次側の電圧を制御する制御回路とを備えたテレビジョン受像機の電源回路において、
前記第２の電源ラインと分圧回路との間にスイッチング素子を設け、
前記スイッチング素子のオン動作により、第２の電源ラインを当該スイッチング素子および分圧回路を介して第１の電源ラインに接続するようにしたことを特徴とするテレビジョン受像機の電源回路。
【請求項３】
請求項２に記載のテレビジョン受像機の電源回路において、
第１の電源ラインの電圧をスタンバイ時の第１の電圧と通常時の第２の電圧とに切り替えるための切替回路を備え、
第１の電源ラインに第１の電圧が出力されているスタンバイ状態でのタイマ録画時に、タイマ録画信号により前記スイッチング素子がオンすることにより、第２の電源ラインをスイッチング素子および分圧回路を介して第１の電源ラインに接続することを特徴とするテレビジョン受像機の電源回路。
【請求項４】
請求項３に記載のテレビジョン受像機の電源回路において、
第１の電源ラインに第２の電圧が出力されている通常状態でのタイマ録画時に、タイマ録画信号によるスイッチング素子のオン動作を禁止して、第２の電源ラインを第１の電源ラインから切り離すようにしたことを特徴とするテレビジョン受像機の電源回路。
【請求項５】
請求項３または請求項４に記載のテレビジョン受像機の電源回路において、
前記切替回路は、テレビジョン受像機の動作状態に応じてオン・オフ動作を行う第１のトランジスタを備え、
前記帰還回路は、分圧回路の分圧出力に応じて動作する第２のトランジスタと、この第２のトランジスタと直列に接続された発光素子と、この発光素子からの光を受光する受光素子とを備え、
前記スイッチング素子は、第２の電源ラインと分圧回路との間に接続された第３のトランジスタからなることを特徴とするテレビジョン受像機の電源回路。
【考案の詳細な説明】
【技術分野】
【０００１】
本考案はテレビジョン受像機の電源回路に関し、特に、複数の異なる電圧を供給する電源回路に関するものである。
【背景技術】
【０００２】
テレビジョン受像機に内蔵される電源回路としては、例えば図２に示すものが知られている。図２において、１ａ，１ｂは商用交流電源が印加される電源端子、２はダイオードブリッジ等からなる整流回路である。Ｔは電源トランスであって、その一次側の巻線Ｔａにはスイッチング回路３が接続されている。このスイッチング回路３は、ＦＥＴ（電界効果トランジスタ）などのスイッチング素子を備えており、電源トランスＴとともに公知のスイッチングレギュレータを構成する。Ｔｂは電源トランスＴの二次側の一方の巻線、Ｌ１は巻線Ｔｂから取り出された電圧を供給する電源ラインである。巻線ＴｂにはダイオードＤ１とコンデンサＣ１とが接続されており、電源ラインＬ１は、これらを介して得られた＋１１２Ｖ／４０Ｖの高電圧を供給する。ＴｃはトランスＴの二次側の他方の巻線、Ｌ２は巻線Ｔｃから取り出された電圧を供給する電源ラインである。巻線ＴｃにはダイオードＤ２とコンデンサＣ２とが接続されており、電源ラインＬ２は、これらを介して得られた＋１２Ｖの低電圧を供給する。
【０００３】
Ｒ４，Ｒ１２，Ｒ１３は電源ラインＬ１の電圧を分圧する分圧回路５０を構成する抵抗、Ｑ１は電源ラインＬ１の電圧を＋１１２Ｖ（通常時）と＋４０Ｖ（スタンバイ時）とに切り替えるためのトランジスタ、Ｄ３はトランジスタＱ１のコレクタと分圧回路５０の分圧点Ｐ（抵抗Ｒ１２，Ｒ４の接続点）との間に接続されたダイオードである。Ｒ１０，Ｒ１１は、トランジスタＱ１のベース側に設けられた抵抗である。トランジスタＱ１のベースには、抵抗Ｒ１０，Ｒ１１を介して、テレビジョン受像機の動作状態に応じた信号が入力され、この信号に基づいてトランジスタＱ１はオン・オフ動作を行う。テレビジョン受像機の画面に映像が表示される通常時においては、トランジスタＱ１がオン状態にあり、このとき電源ラインＬ１には＋１１２Ｖが供給される。この＋１１２Ｖの電圧は、図示しない偏向回路へ供給される。一方、テレビジョン受像機の画面に映像が表示されないスタンバイ時においては、トランジスタＱ１がオフ状態にあり、このとき電源ラインＬ１の電圧は＋１１２Ｖから＋４０Ｖへ低下し、省電力モードとなる。
【０００４】
Ｑ２は帰還用のトランジスタであって、そのベースは分圧回路５０の分圧点Ｐに接続されている。このトランジスタＱ２のエミッタにはツェナーダイオードＺＤが接続されているとともに、コレクタには発光素子であるＬＥＤ（発光ダイオード）４ａが接続されている。ＬＥＤ４ａに流れる電流は、分圧点Ｐの電圧（分圧出力）に応じて変化する。４ｂはＬＥＤ４ａからの光を受光する受光素子としてのフォトトランジスタであって、ＬＥＤ４ａとフォトトランジスタ４ｂとでフォトカプラ４が構成される。フォトトランジスタ４ｂの受光出力はスイッチング回路３へ入力される。トランジスタＱ２、ＬＥＤ４ａおよびフォトトランジスタ４ｂは帰還回路を構成する。スイッチング回路３は、この帰還回路からの信号に基づき電源トランスＴの一次側の電圧をスイッチングすることで、二次側の電圧を制御し、電源ラインＬ１へ安定した直流電源を供給する。
【０００５】
以上のような、電源トランスの二次側から高電圧と低電圧とを取り出し、高電圧の電源ラインに分圧回路を設け、この分圧回路の分圧出力を帰還回路を介して電源トランスの一次側へ帰還させることにより、電源トランスの二次側の電圧を制御するようにしたテレビジョン受像機の電源回路は、例えば下記の特許文献１、特許文献２に記載されている。
【特許文献１】特開２００１−２４９６７号公報
【特許文献２】特開平６−１２５５１３号公報
【考案の開示】
【考案が解決しようとする課題】
【０００６】
上述した従来の電源回路において、電源ラインＬ１の電圧が＋１１２Ｖの通常状態では、偏向回路が作動していて電源ラインＬ１に負荷電流が流れるとともに、電源ラインＬ２の電圧もほぼ＋１２Ｖで安定している。一方、テレビジョン受像機のスタンバイ時には、電源ラインＬ１の電圧が＋１１２Ｖから＋４０Ｖへ低下するが、この場合、偏向回路は作動していないので、電源ラインＬ１には負荷電流がほとんど流れなくなる。したがって、この大きな負荷変動により電源ラインＬ２が影響を受け、電源ラインＬ２の＋１２Ｖが＋８Ｖ程度以下まで大きく落ち込むという現象（クロスレギュレーション）が生じる。
【０００７】
ところで、テレビジョン受像機には、ＤＶＤレコーダやビデオデッキを内蔵してディスクやテープなどの記録媒体へタイマ録画を行う機能を備えているものがある。タイマ録画は、予め設定した予約時間が到来すると自動的に録画を開始するものである。このようなテレビジョン受像機では、上述した電源ラインＬ２の＋１２Ｖの電圧は、録画のためのモータや記録ヘッドの駆動電源として用いられる。しかしながら、テレビジョン受像機がスタンバイの状態でタイマ録画を行う場合は、上述のように電源ラインＬ１の電圧が＋４０Ｖとなっていて、電源ラインＬ２の電圧が大きく落ち込んでいることから、モータや記録ヘッドの駆動に支障をきたし、正常な録画ができなくなることが起こり得る。
【０００８】
本考案は、上述した課題を解決するものであって、その目的とするところは、電源トランスの二次側から取り出される高電圧の電源ラインの負荷が変動しても低電圧の電源ラインの電圧が落ち込まないようにしたテレビジョン受像機の電源回路を提供することにある。
【課題を解決するための手段】
【０００９】
本考案では、電源トランスと、この電源トランスの二次側から取り出された高電圧を供給する第１の電源ラインと、電源トランスの二次側から取り出された低電圧を供給する第２の電源ラインと、第１の電源ラインの電圧を分圧する分圧回路と、この分圧回路の分圧出力を電源トランスの一次側へ帰還する帰還回路と、この帰還回路からの信号に基づいて電源トランスの二次側の電圧を制御する制御回路とを備えたテレビジョン受像機の電源回路において、第２の電源ラインと分圧回路との間にスイッチング素子を設けている。そして、このスイッチング素子のオン動作により、第２の電源ラインを当該スイッチング素子および分圧回路を介して第１の電源ラインに接続するように構成している。
【００１０】
このようにすることで、第２の電源ラインはスイッチング素子と分圧回路を介して第１の電源ラインに接続されるので、第２の電源ラインの電圧が落ち込む場合にスイッチング素子をオンさせることにより、第１の電源ラインで第２の電源ラインを電気的に引っ張ることができ、これによって第２の電源ラインの電圧落ち込みを防ぐことができる。
【００１１】
また、本考案においては、第１の電源ラインの電圧をスタンバイ時の第１の電圧と通常時の第２の電圧とに切り替えるための切替回路を備え、第１の電源ラインに第１の電圧が出力されているスタンバイ状態でのタイマ録画時に、タイマ録画信号によりスイッチング素子がオンすることにより、第２の電源ラインをスイッチング素子および分圧回路を介して第１の電源ラインに接続する。
【００１２】
これによると、テレビジョン受像機がスタンバイの状態でタイマ録画を行う場合であっても、第２の電源ラインの電圧の落ち込みが発生しないので、モータや記録ヘッドの駆動に支障をきたすことがなく、正常な録画動作を行うことができる。
【００１３】
また、本考案においては、第１の電源ラインに第２の電圧が出力されている通常状態でのタイマ録画時に、タイマ録画信号によるスイッチング素子のオン動作を禁止して、第２の電源ラインを第１の電源ラインから切り離すようにしている。
【００１４】
これによると、テレビジョン受像機の通常状態でタイマ録画を行う場合には、第２の電源ラインが分圧回路に接続されず、分圧回路の分圧出力に変動が生じないので、第１の電源ラインの電圧の帰還に影響を与えることがなくなり、第１の電源ラインの電圧が不用意に変動するのを防止することができる。
【００１５】
本考案では、上述した切替回路は、テレビジョン受像機の動作状態に応じてオン・オフ動作を行う第１のトランジスタで構成することができる。また、帰還回路は、分圧回路の分圧出力に応じて動作する第２のトランジスタと、この第２のトランジスタと直列に接続された発光素子と、この発光素子からの光を受光する受光素子とで構成することができる。また、スイッチング素子は、第２の電源ラインと分圧回路との間に接続された第３のトランジスタで構成することができる。
【考案の効果】
【００１６】
本考案によれば、電源トランスの二次側から取り出される高電圧の電源ラインの負荷が変動しても、低電圧の電源ラインの電圧が落ち込まないようにしたテレビジョン受像機の電源回路を提供できる効果がある。
【考案を実施するための最良の形態】
【００１７】
図１は、本考案によるテレビジョン受像機（以下、「ＴＶ受像機」と記す）の電源回路を示す回路図である。図１において、１ａ，１ｂは商用交流電源が印加される電源端子、２はダイオードブリッジ等からなる整流回路である。Ｔは電源トランスであって、その一次側の巻線Ｔａにはスイッチング回路３が接続されている。このスイッチング回路３は、ＦＥＴ（電界効果トランジスタ）などのスイッチング素子を備えており、電源トランスＴとともに公知のスイッチングレギュレータを構成する。Ｔｂは電源トランスＴの二次側の一方の巻線、Ｌ１は巻線Ｔｂから取り出された電圧を供給する電源ライン（第１の電源ライン）である。巻線ＴｂにはダイオードＤ１とコンデンサＣ１とが接続されており、電源ラインＬ１は、これらを介して得られた＋１１２Ｖ／４０Ｖの高電圧を供給する。ＴｃはトランスＴの二次側の他方の巻線、Ｌ２は巻線Ｔｃから取り出された電圧を供給する電源ライン（第２の電源ライン）である。巻線ＴｃにはダイオードＤ２とコンデンサＣ２とが接続されており、電源ラインＬ２は、これらを介して得られた＋１２Ｖの低電圧を供給する。以上の構成に関しては、図２と全く同じである。
【００１８】
Ｒ１〜Ｒ６は電源ラインＬ１の電圧を分圧する分圧回路５を構成する抵抗、Ｑ１は電源ラインＬ１の電圧を＋１１２Ｖ（通常時）と＋４０Ｖ（スタンバイ時）とに切り替えるためのトランジスタ（第１のトランジスタ）、Ｄ３はトランジスタＱ１のコレクタと分圧回路５の分圧点Ｐａ（抵抗Ｒ３，Ｒ４の接続点）との間に接続されたダイオードである。Ｒ１０，Ｒ１１は、トランジスタＱ１のベース側に設けられた抵抗である。トランジスタＱ１のベースには、抵抗Ｒ１０，Ｒ１１を介して、ＴＶ受像機の動作状態に応じた信号（以下、「パワーオン信号」という）が入力され、この信号に基づいてトランジスタＱ１はオン・オフ動作を行う。トランジスタＱ１、抵抗Ｒ１０，Ｒ１１は本考案における切替回路を構成する。ＴＶ受像機の画面に映像が表示される通常時においては、トランジスタＱ１がオン状態にあり、このとき電源ラインＬ１には＋１１２Ｖが供給される。この＋１１２Ｖの電圧は、図示しない偏向回路へ供給される。一方、ＴＶ受像機の画面に映像が表示されないスタンバイ時においては、トランジスタＱ１がオフ状態にあり、このとき電源ラインＬ１の電圧は＋１１２Ｖから＋４０Ｖへ低下し、省電力モードとなる。以上の構成に関しては、図２の抵抗Ｒ１２が抵抗Ｒ１，Ｒ２に置き換わっており、図２の抵抗Ｒ１３が抵抗Ｒ５，Ｒ６に置き換わっている点を除き、図２と同じである。
【００１９】
Ｑ２は帰還用のトランジスタ（第２のトランジスタ）であって、そのベースは分圧回路５の分圧点Ｐａに接続されている。このトランジスタＱ２のエミッタにはツェナーダイオードＺＤが接続されているとともに、コレクタには発光素子であるＬＥＤ（発光ダイオード）４ａが接続されている。ＬＥＤ４ａに流れる電流は、分圧点Ｐａの電圧（分圧出力）に応じて変化する。４ｂはＬＥＤ４ａからの光を受光する受光素子としてのフォトトランジスタであって、ＬＥＤ４ａとフォトトランジスタ４ｂとでフォトカプラ４が構成される。フォトトランジスタ４ｂの受光出力はスイッチング回路３へ入力される。トランジスタＱ２、ＬＥＤ４ａおよびフォトトランジスタ４ｂは本考案における帰還回路を構成する。スイッチング回路３は、本考案における制御回路を構成し、上記帰還回路からの信号に基づき電源トランスＴの一次側の電圧をスイッチングすることで、二次側の電圧を制御し、電源ラインＬ１へ安定した直流電源を供給する。以上の構成に関しては、図２と全く同じである。
【００２０】
Ｑ３は、電源ラインＬ２と分圧回路５の分圧点Ｐｂ（抵抗Ｒ２，Ｒ３の接続点）との間に接続されたトランジスタ（第３のトランジスタ）であって、本考案におけるスイッチング素子を構成する。Ｒ７はトランジスタＱ３のベースと電源ラインＬ１との間に接続された抵抗、Ｒ８はトランジスタＱ３のエミッタと電源ラインＬ２との間に接続された抵抗、Ｒ９はトランジスタＱ３のベースに接続された抵抗である。Ｑ４は、ベースに入力されるタイマ録画信号に基づいてトランジスタＱ３のオン・オフ動作を制御するトランジスタ（第４のトランジスタ）であって、抵抗Ｒ９と並列に接続されている。以上の構成は図２と本質的に異なる点であり、本考案の特徴をなすものである。
【００２１】
次に、図１の電源回路の動作を、以下の４つの場合に分けて説明する。
（１）ＴＶ受像機が通常状態（画面オン）で、タイマ録画なしの場合
この場合は、トランジスタＱ１のベースに加わるパワーオン信号のレベルは「Ｈ」となる。このパワーオン信号は、リモコンの操作に基づき図示しないマイクロコンピュータから送られてくる。「Ｈ」の信号が加わることでトランジスタＱ１はオンしており、このとき電源ラインＬ１の電圧は＋１１２Ｖとなっている。また、トランジスタＱ４のベースに加わるタイマ録画信号のレベルは「Ｈ」となる。このタイマ録画信号も、リモコンの操作に基づき図示しないマイクロコンピュータから送られてくる。「Ｈ」の信号が加わることでトランジスタＱ４はオンしており、この結果、トランジスタＱ３はオフとなる。したがって、電源ラインＬ２は分圧回路５の分圧点Ｐｂに接続されず、電源ラインＬ１から切り離されている。この場合、電源ラインＬ２には＋１２Ｖの電圧が現れているが、タイマ録画がないため、結果的に電源ラインＬ２は使用されていないことになる。
（２）ＴＶ受像機がスタンバイ状態（画面オフ）で、タイマ録画なしの場合
この場合は、トランジスタＱ１のベースに加わるパワーオン信号のレベルは「Ｌ」となる。「Ｌ」の信号が加わることでトランジスタＱ１はオフになり、電源ラインＬ１の電圧は＋１１２Ｖから＋４０Ｖに低下する。また、トランジスタＱ４のベースに加わるタイマ録画信号のレベルは「Ｈ」となる。「Ｈ」の信号が加わることでトランジスタＱ４はオンしており、この結果、トランジスタＱ３はオフとなる。したがって、上記（１）と同様に、電源ラインＬ２は分圧回路５の分圧点Ｐｂに接続されず、電源ラインＬ１から切り離されている。この場合、前述したクロスレギュレーションにより、電源ラインＬ２の電圧は＋１２Ｖから大きく落ち込むが、タイマ録画がなく電源ラインＬ２は使用されないため、この落ち込みは問題とはならない。
（３）ＴＶ受像機が通常状態（画面オン）で、タイマ録画ありの場合
この場合は、トランジスタＱ１のベースに加わるパワーオン信号のレベルは「Ｈ」となる。「Ｈ」の信号が加わることでトランジスタＱ１はオンしており、このとき電源ラインＬ１の電圧は＋１１２Ｖとなっている。また、トランジスタＱ４のベースに加わるタイマ録画信号のレベルは「Ｈ」となる。「Ｈ」の信号が加わることでトランジスタＱ４はオンしており、この結果、トランジスタＱ３はオフとなる。したがって、上記（１）（２）と同様に、電源ラインＬ２は分圧回路５の分圧点Ｐｂに接続されず、電源ラインＬ１から切り離されている。この場合、電源ラインＬ２は、タイマ録画のためのモータや記録ヘッドの駆動電源として使用されるが、電源ラインＬ１の電圧が＋１１２Ｖであるため、電源ラインＬ２の電圧は落ち込むことなく＋１２Ｖに維持される。したがって、モータや記録ヘッドの駆動に支障が生じることはなく、タイマ録画は正常に行われる。
（４）ＴＶ受像機がスタンバイ状態（画面オフ）で、タイマ録画ありの場合
本考案が意味を持つのはこの場合である。スタンバイ状態でタイマ録画を行う場合は、トランジスタＱ１のベースに加わるパワーオン信号のレベルは「Ｌ」となる。「Ｌ」の信号が加わることでトランジスタＱ１はオフになり、電源ラインＬ１の電圧は＋１１２Ｖから＋４０Ｖに低下する。また、トランジスタＱ４のベースに加わるタイマ録画信号のレベルは「Ｌ」となる。「Ｌ」の信号が加わることでトランジスタＱ４はオフとなる。ここで、電源ラインＬ１の電圧が＋４０Ｖに低下することで、電源ラインＬ２の電圧は＋１２Ｖから＋８Ｖ程度以下に落ち込み、トランジスタＱ３のエミッタ側の電位が低下するため、トランジスタＱ４のオフによりトランジスタＱ３がオンする。トランジスタＱ３がオンすると、電源ラインＬ２は、抵抗Ｒ８およびトランジスタＱ３を介して分圧回路５の分圧点Ｐｂに接続され、抵抗Ｒ１，Ｒ２を介して電源ラインＬ１に接続される。この結果、電源ラインＬ２は電源ラインＬ１に電気的に引っ張られて、電圧の落ち込みが補償される。したがって、電源ラインＬ２の電圧はほぼ＋１２Ｖに維持されるので、タイマ録画におけるモータや記録ヘッドの駆動に支障が生じることはなく、タイマ録画は正常に行われる。
【００２２】
以上のように、図１の実施形態においては、ＴＶ受像機のスタンバイ状態でのタイマ録画時に、タイマ録画信号を「Ｌ」にしてトランジスタＱ３をオンさせ、電源ラインＬ２をトランジスタＱ３と分圧回路５を介して電源ラインＬ１に接続するようにしている（上記（４）の場合）。このため、スタンバイ状態でタイマ録画を行う場合に、電源ラインＬ２の電圧の落ち込みが発生しないので、モータや記録ヘッドの駆動に支障をきたすことがなく、正常な録画動作を行うことができる。
【００２３】
また、ＴＶ受像機の通常状態でのタイマ録画時には、タイマ録画信号を「Ｈ」にしてトランジスタＱ３のオン動作を禁止し、電源ラインＬ２を電源ラインＬ１から切り離すようにしている（上記（３）の場合）。このため、通常状態でタイマ録画を行う場合は、電源ラインＬ２が分圧回路５に接続されず、したがって分圧点Ｐａの電圧（分圧出力）に変動が生じないので、トランジスタＱ２による電源ラインＬ１の電圧の帰還に影響を与えることがなくなり、電源ラインＬ１の電圧＋１１２Ｖが不用意に変動して偏向特性に悪影響を及ぼすのを防止することができる。
【００２４】
上述した実施形態では、電源ラインＬ２と分圧回路５との間に設けるスイッチング素子としてトランジスタＱ３を用い、このトランジスタＱ３をトランジスタＱ４によりオン・オフ制御する例を挙げたが、トランジスタＱ３，Ｑ４に代えて、例えばリレーを用いることも可能である。
【００２５】
また、上記実施形態においては、低電圧の電源ラインとして１つの電源ラインＬ２のみを設けた場合を例に挙げたが、本考案は複数の低電圧電源ラインを有する電源回路にも適用することができる。この場合には、それぞれの電源ラインを、トランジスタＱ３のようなスイッチング素子を介して分圧回路に接続する構成とすればよい。
【図面の簡単な説明】
【００２６】
【図１】本考案によるテレビジョン受像機の電源回路を示す回路図である。
【図２】従来のテレビジョン受像機の電源回路を示す回路図である。
【符号の説明】
【００２７】
３    スイッチング回路
４ａ  ＬＥＤ
４ｂ  フォトトランジスタ
５    分圧回路
Ｔ    電源トランス
Ｌ１，Ｌ２  電源ライン
Ｒ１〜Ｒ６  抵抗
Ｑ１〜Ｑ４  トランジスタ
Ｐａ，Ｐｂ  分圧点
【図１】
0003101738.tif 000003
【図２】
0003101738.tif 000004